(57)【要約】      （修正有）【課題】信頼性の高い情報が得られる酸化窒素濃度検査装置、酸化窒素濃度検査システム、酸化窒素濃度検査サーバーおよび酸化窒素濃度検査端末装置等を提供する。【解決手段】酸化窒素濃度検査装置１は、被験者の呼気中の酸化窒素濃度を検出する検出部１１と、薬剤吸入デバイスの使用履歴に関する情報である使用履歴情報を取得する取得部１２と、酸化窒素濃度に関する情報である酸化窒素濃度情報と、酸化窒素濃度の計測時刻に関する情報である時刻情報と、使用履歴情報と、を記憶する記憶部１３と、を含む。【選択図】図２
2017058304.tif 000002
【特許請求の範囲】
【請求項１】
被験者の呼気中の酸化窒素濃度を検出する検出部と、
薬剤吸入デバイスの使用履歴に関する情報である使用履歴情報を取得する取得部と、
前記酸化窒素濃度に関する情報である酸化窒素濃度情報と、前記酸化窒素濃度の計測時刻に関する情報である計測時刻情報と、前記使用履歴情報と、を記憶する記憶部と、
を含む、酸化窒素濃度検査装置。
【請求項２】
請求項１に記載の酸化窒素濃度検査装置において、
前記使用履歴情報から得られる前記薬剤吸入デバイスの使用時刻に関する情報と、前記計測時刻情報と、に基づいて、前記酸化窒素濃度情報の有効性を判定する判定部を含む、酸化窒素濃度検査装置。
【請求項３】
請求項１または２に記載の酸化窒素濃度検査装置において、
前記使用履歴情報に基づいて、前記薬剤吸入デバイスの使用時刻を判定する時刻判定部を含む、酸化窒素濃度検査装置。
【請求項４】
請求項３に記載の酸化窒素濃度検査装置において、
前記使用履歴情報は、前記薬剤吸入デバイスの動きに関する情報を含む、酸化窒素濃度検査装置。
【請求項５】
請求項３に記載の酸化窒素濃度検査装置において、
前記使用履歴情報は、前記薬剤吸入デバイスの操作に関する情報を含む、酸化窒素濃度検査装置。
【請求項６】
請求項１ないし５のいずれか１項に記載の酸化窒素濃度検査装置において、
前記検出部は、分光法を用いて前記酸化窒素濃度を検出する、酸化窒素濃度検査装置。
【請求項７】
請求項６に記載の酸化窒素濃度検査装置において、
前記検出部は、表面増強ラマン散乱法を用いて前記酸化窒素濃度を検出する、酸化窒素濃度検査装置。
【請求項８】
被験者の呼気中の酸化窒素濃度を検出する検出部と、
薬剤吸入デバイスの使用履歴に関する情報である使用履歴情報を取得する取得部と、
前記酸化窒素濃度に関する情報である酸化窒素濃度情報と、前記酸化窒素濃度の計測時刻に関する情報である計測時刻情報と、前記使用履歴情報と、を関連付けて記憶する記憶部と、
を含む、酸化窒素濃度検査システム。
【請求項９】
被験者の呼気中の酸化窒素濃度を検出する検出部と、薬剤吸入デバイスの使用履歴に関する情報である使用履歴情報を取得する取得部と、を有する酸化窒素濃度検査端末から、前記酸化窒素濃度に関する情報である酸化窒素濃度情報と、前記酸化窒素濃度の計測時刻に関する情報である計測時刻情報と、前記使用履歴情報と、を受信する受信部と、
前記酸化窒素濃度情報、前記計測時刻情報および前記使用履歴情報を記憶する記憶部と、
を含む、酸化窒素濃度検査サーバー。
【請求項１０】
被験者の呼気中の酸化窒素濃度を検出する検出部と、
薬剤吸入デバイスの使用履歴に関する情報である使用履歴情報を取得する取得部と、
前記酸化窒素濃度に関する情報である酸化窒素濃度情報と、前記酸化窒素濃度の計測時
刻に関する情報である計測時刻情報と、前記使用履歴情報と、を関連付けて記憶する記憶部を有する酸化窒素濃度検査サーバーに、前記酸化窒素濃度情報、前記計測時刻情報および前記使用履歴情報を送信する送信部と、
を含む、酸化窒素濃度検査端末装置。
【請求項１１】
被験者の呼気中の酸化窒素濃度を検出する検出部を有する酸化窒素濃度検査端末から、前記酸化窒素濃度に関する情報である酸化窒素濃度情報と、前記酸化窒素濃度の計測時刻に関する情報である計測時刻情報と、を受信する受信部と、
薬剤吸入デバイスの使用履歴に関する情報である使用履歴情報を取得する取得部と、
前記酸化窒素濃度情報、前記計測時刻情報および前記使用履歴情報を記憶する記憶部と、
を含む、酸化窒素濃度検査サーバー。
【請求項１２】
被験者の呼気中の酸化窒素濃度を検出する検出部と、
前記酸化窒素濃度に関する情報である酸化窒素濃度情報と、前記酸化窒素濃度の計測時刻に関する情報である計測時刻情報と、薬剤吸入デバイスの使用履歴に関する情報である使用履歴情報と、を関連付けて記憶する記憶部を有する酸化窒素濃度検査サーバーに、前記酸化窒素濃度情報および前記計測時刻情報を送信する送信部と、
を含む、酸化窒素濃度検査端末装置。
【発明の詳細な説明】
【技術分野】
【０００１】
本発明は、酸化窒素濃度検査装置、酸化窒素濃度検査システム、酸化窒素濃度検査サーバーおよび酸化窒素濃度検査端末装置に関する。
【背景技術】
【０００２】
近年喘息は、根本的には気道炎症性反応とみなすようになり始めた。したがって、喘息治療法として、吸入ステロイド薬に代表される薬物治療が推奨されている。気道炎症状態の指標として、呼気中の酸化窒素が着目されている。呼気中の酸化窒素（ＮＯ）量は気道炎症度と相関し、一定期間内の酸化窒素量を監視することにより気道炎症度の程度を監視することができる。例えば、特許文献１には、呼気中の酸化窒素の量を検出する装置が開示されている。
【先行技術文献】
【特許文献】
【０００３】
【特許文献１】特開２０１２−１８１８２号公報
【発明の概要】
【発明が解決しようとする課題】
【０００４】
しかし、吸入ステロイド薬などの薬剤を吸入した直後には、気道炎症度が一時的に改善してしまう可能性がある。このため、吸入ステロイド薬などの薬剤を吸入した直後に呼気中の酸化窒素濃度を計測すると、本来の気道炎症度を正しく反映した酸化窒素濃度が計測できないので、信頼性の高い情報が得られない可能性がある。
【０００５】
本発明は、以上のような技術的課題に鑑みてなされたものである。本発明のいくつかの態様によれば、信頼性の高い情報が得られる酸化窒素濃度検査装置、酸化窒素濃度検査システム、酸化窒素濃度検査サーバーおよび酸化窒素濃度検査端末装置等を提供することができる。
【課題を解決するための手段】
【０００６】
本発明は前述の課題の少なくとも一部を解決するためになされたものであり、以下の態様または適用例として実現することが可能である。
【０００７】
［適用例１］
本適用例に係る酸化窒素濃度検査装置は、
被験者の呼気中の酸化窒素濃度を検出する検出部と、
薬剤吸入デバイスの使用履歴に関する情報である使用履歴情報を取得する取得部と、
前記酸化窒素濃度に関する情報である酸化窒素濃度情報と、前記酸化窒素濃度の計測時刻に関する情報である計測時刻情報と、前記使用履歴情報と、を記憶する記憶部と、
を含む、酸化窒素濃度検査装置である。
【０００８】
本適用例によれば、薬剤吸入デバイスの使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査装置を実現できる。
【０００９】
［適用例２］
上述の酸化窒素濃度検査装置において、
前記使用履歴情報から得られる前記薬剤吸入デバイスの使用時刻に関する情報と、前記計測時刻情報と、に基づいて、前記酸化窒素濃度情報の有効性を判定する判定部を含んでもよい。
【００１０】
本適用例によれば、薬剤吸入デバイスの使用時刻と、酸化窒素濃度の計測時刻とに基づいて、どの情報が信頼性の高い酸化窒素濃度情報であるかを判定するので、信頼性の高い情報が得られる酸化窒素濃度検査装置を実現できる。
【００１１】
［適用例３］
上述の酸化窒素濃度検査装置において、
前記使用履歴情報に基づいて、前記薬剤吸入デバイスの使用時刻を判定する時刻判定部を含んでもよい。
【００１２】
本適用例によれば、簡易な構成の薬剤吸入デバイスでも信頼性の高い情報が得られる酸化窒素濃度検査装置を実現できる。
【００１３】
［適用例４］
上述の酸化窒素濃度検査装置において、
前記使用履歴情報は、前記薬剤吸入デバイスの動きに関する情報を含んでもよい。
【００１４】
薬剤吸入デバイスの動きに関する情報は、例えば、時刻と加速度に関する情報であってもよい。
【００１５】
本適用例によれば、簡易な構成の薬剤吸入デバイスでも信頼性の高い情報が得られる酸化窒素濃度検査装置を実現できる。
【００１６】
［適用例５］
上述の酸化窒素濃度検査装置において、
前記使用履歴情報は、前記薬剤吸入デバイスの操作に関する情報を含んでもよい。
【００１７】
薬剤吸入デバイスの操作に関する情報は、例えば、薬剤吸入デバイスの特定の操作部が操作されたか否かに関する情報と、操作された時刻に関する情報とを含んでいてもよい。
【００１８】
本適用例によれば、簡易な構成の薬剤吸入デバイスでも信頼性の高い情報が得られる酸化窒素濃度検査装置を実現できる。
【００１９】
［適用例６］
上述の酸化窒素濃度検査装置において、
前記検出部は、分光法を用いて前記酸化窒素濃度を検出してもよい。
【００２０】
本適用例によれば、分光法を用いて酸化窒素濃度を検出するので、計測値信頼性に優れる酸化窒素濃度検査装置を実現できる。
【００２１】
［適用例７］
上述の酸化窒素濃度検査装置において、
前記検出部は、表面増強ラマン散乱法を用いて前記酸化窒素濃度を検出してもよい。
【００２２】
本適用例によれば、表面増強ラマン散乱法を用いて酸化窒素濃度を検出するので、環境の影響を受けにくく、高感度で小型の酸化窒素濃度検査装置を実現できる。
【００２３】
［適用例８］
本適用例に係る酸化窒素濃度検査システムは、
被験者の呼気中の酸化窒素濃度を検出する検出部と、
薬剤吸入デバイスの使用履歴に関する情報である使用履歴情報を取得する取得部と、
前記酸化窒素濃度に関する情報である酸化窒素濃度情報と、前記酸化窒素濃度の計測時刻に関する情報である計測時刻情報と、前記使用履歴情報と、を関連付けて記憶する記憶部と、
を含む、酸化窒素濃度検査システムである。
【００２４】
本適用例によれば、薬剤吸入デバイスの使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査システムを実現できる。
【００２５】
［適用例９］
本適用例に係る酸化窒素濃度検査サーバーは、
被験者の呼気中の酸化窒素濃度を検出する検出部と、薬剤吸入デバイスの使用履歴に関する情報である使用履歴情報を取得する取得部と、を有する酸化窒素濃度検査端末から、前記酸化窒素濃度に関する情報である酸化窒素濃度情報と、前記酸化窒素濃度の計測時刻に関する情報である計測時刻情報と、前記使用履歴情報と、を受信する受信部と、
前記酸化窒素濃度情報、前記計測時刻情報および前記使用履歴情報を記憶する記憶部と、
を含む、酸化窒素濃度検査サーバーである。
【００２６】
本適用例によれば、薬剤吸入デバイスの使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査サーバーを実現できる。
【００２７】
［適用例１０］
本適用例に係る酸化窒素濃度検査端末装置は、
被験者の呼気中の酸化窒素濃度を検出する検出部と、
薬剤吸入デバイスの使用履歴に関する情報である使用履歴情報を取得する取得部と、
前記酸化窒素濃度に関する情報である酸化窒素濃度情報と、前記酸化窒素濃度の計測時刻に関する情報である計測時刻情報と、前記使用履歴情報と、を関連付けて記憶する記憶部を有する酸化窒素濃度検査サーバーに、前記酸化窒素濃度情報、前記計測時刻情報および前記使用履歴情報を送信する送信部と、
を含む、酸化窒素濃度検査端末装置である。
【００２８】
本適用例によれば、薬剤吸入デバイスの使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査端末装置を実現できる。
【００２９】
［適用例１１］
本適用例に係る酸化窒素濃度検査サーバーは、
被験者の呼気中の酸化窒素濃度を検出する検出部を有する酸化窒素濃度検査端末から、前記酸化窒素濃度に関する情報である酸化窒素濃度情報と、前記酸化窒素濃度の計測時刻に関する情報である計測時刻情報と、を受信する受信部と、
薬剤吸入デバイスの使用履歴に関する情報である使用履歴情報を取得する取得部と、
前記酸化窒素濃度情報、前記計測時刻情報および前記使用履歴情報を記憶する記憶部と、
を含む、酸化窒素濃度検査サーバーである。
【００３０】
本適用例によれば、薬剤吸入デバイスの使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査サーバーを実現できる。
【００３１】
［適用例１２］
本適用例に係る酸化窒素濃度検査端末装置は、
被験者の呼気中の酸化窒素濃度を検出する検出部と、
前記酸化窒素濃度に関する情報である酸化窒素濃度情報と、前記酸化窒素濃度の計測時刻に関する情報である計測時刻情報と、薬剤吸入デバイスの使用履歴に関する情報である使用履歴情報と、を関連付けて記憶する記憶部を有する酸化窒素濃度検査サーバーに、前記酸化窒素濃度情報および前記計測時刻情報を送信する送信部と、
を含む、酸化窒素濃度検査端末装置である。
【００３２】
本適用例によれば、薬剤吸入デバイスの使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査端末装置を実現できる。
【図面の簡単な説明】
【００３３】
【図１】本実施形態に係る酸化窒素濃度検査装置１の使用態様を模式的に示す図である。
【図２】本実施形態に係る酸化窒素濃度検査装置１の機能ブロック図である。
【図３】記憶部１３に記憶される情報の例を示す表である。
【図４】第１実施形態に係る酸化窒素濃度検査システム２の全体構成を示す図である。
【図５】第１実施形態に係る酸化窒素濃度検査端末装置３の機能ブロック図である。
【図６】第１実施形態に係る酸化窒素濃度検査サーバー４の機能ブロック図である。
【図７】第２実施形態に係る酸化窒素濃度検査システム２ａの全体構成を示す図である。
【図８】第２実施形態に係る酸化窒素濃度検査端末装置３ａの機能ブロック図である。
【図９】第２実施形態に係る酸化窒素濃度検査サーバー４ａの機能ブロック図である。
【図１０】センサーチップ３００を模式的に示す平面図である。
【図１１】センサーチップ３００を模式的に示す図１０のＶ−Ｖ線断面図である。
【図１２】酸化窒素の捕捉原理を概念的に示す図である。
【発明を実施するための形態】
【００３４】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００３５】
１．酸化窒素濃度検査装置
１−１．全体構成
図１は、本実施形態に係る酸化窒素濃度検査装置１の使用態様を模式的に示す図である。
【００３６】
本実施形態に係る酸化窒素濃度検査装置１は、薬剤吸入デバイス５００から、薬剤吸入デバイスの使用履歴に関する情報である使用履歴情報５０１を取得する。
【００３７】
薬剤吸入デバイス５００は、喘息やＣＯＰＤ（慢性閉塞肺疾患）などの治療に用いられる吸入ステロイド薬などの薬剤を、患者が吸入するためのデバイスである。
【００３８】
１−２．酸化窒素濃度検査装置の構成
図２は、本実施形態に係る酸化窒素濃度検査装置１の機能ブロック図である。図２に示される例では、酸化窒素濃度検査装置１は、検出部１１、取得部１２、記憶部１３、判定部１４、時刻判定部１５、出力部１６および受信部１７を含んで構成されている。なお、酸化窒素濃度検査装置１に要求される機能に応じて、図２に示される構成の一部を省略してもよく、他の構成を追加してもよい。
【００３９】
検出部１１は、被験者の呼気中の酸化窒素濃度を検出する。検出部１１の詳細な構成例については、「３．検出部の構成例」の項で後述される。
【００４０】
取得部１２は、薬剤吸入デバイス５００の使用履歴に関する情報である使用履歴情報５０１を取得する。本実施形態においては、取得部１２は、受信部１７を介して使用履歴情報５０１を取得する。使用履歴情報５０１としては、例えば、被験者（患者）が薬剤吸入デバイス５００を使用した時刻に関する情報が含まれていてもよい。
【００４１】
記憶部１３は、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴に関する情報である使用履歴情報５０１と、を記憶する。本実施形態においては、記憶部１３は、被験者の呼気中の酸化窒素濃度に関する情報である酸化窒素濃度情報と、被験者の呼気中の酸化窒素濃度の計測時刻に関する情報である計測時刻情報と、を関連付けて記憶している。
【００４２】
図３は、記憶部１３に記憶される情報の例を示す表である。図３の１行目は、酸化窒素濃度の計測時刻を表す。この情報は、計測時刻情報に対応する。図３の２行目は、薬剤吸入デバイス５００の使用時刻を表す。この情報は、使用履歴情報５０１に対応する。図３の３行目は、酸化窒素濃度［ｐｐｂ］を表す。この情報は、酸化窒素濃度情報に対応する。図３に示される例では、同一の日付に対応する情報が同一の列になるように示されている。
【００４３】
本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。例えば、薬剤吸入デバイス５００を使用した後の２時間以外に酸化窒素濃度が計測されている場合には、対応する酸化窒素濃度情報の信頼性が高いもの（有効データ）と医者が判定してもよい。また例えば、薬剤吸入デバイス５００を使用した後の２時間以内に酸化窒素濃度が計測されている場合には、対応する酸化窒素濃度情報の信頼性が低いものと医者が判断してもよい。したがって、信頼性の高い情報が得られる酸化窒素濃度検査装置１を実現できる。
【００４４】
図２に戻り、判定部１４は、薬剤吸入デバイス５００の使用履歴情報５０１から得られる薬剤吸入デバイス５００の使用時刻に関する情報と、被験者の呼気中の酸化窒素濃度の計測時刻に関する情報である計測時刻情報と、に基づいて、被験者の呼気中の酸化窒素濃
度に関する情報である酸化窒素濃度情報の有効性を判定する。例えば、薬剤吸入デバイス５００を使用した後の２時間以外に酸化窒素濃度が計測されている場合には、対応する酸化窒素濃度情報の信頼性が高いもの（有効データ）と判定部１４が判定してもよい。また例えば、薬剤吸入デバイス５００を使用した後の２時間以内に酸化窒素濃度が計測されている場合には、対応する酸化窒素濃度情報の信頼性が低いもの（参考データ）と判定部１４が判定してもよい。
【００４５】
判定部１４は、判定結果を記憶部１３に記憶させてもよい。記憶部１３は、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴に関する情報である使用履歴情報５０１と、判定部１４による判定結果と、を関連付けて記憶する。例えば、図３の４行目は、判定部１４による判定結果を表す。
【００４６】
本実施形態によれば、薬剤吸入デバイス５００の使用時刻と、酸化窒素濃度の計測時刻とに基づいて、どの情報が信頼性の高い酸化窒素濃度情報であるかを判定するので、信頼性の高い情報が得られる酸化窒素濃度検査装置１を実現できる。
【００４７】
時刻判定部１５は、薬剤吸入デバイス５００の使用履歴情報５０１に基づいて、薬剤吸入デバイス５００の使用時刻を判定する。
【００４８】
例えば、薬剤吸入デバイス５００の使用履歴情報５０１は、薬剤吸入デバイス５００の動きに関する情報を含んでもよい。薬剤吸入デバイス５００の動きに関する情報は、例えば、時刻と加速度に関する情報であってもよい。薬剤吸入デバイス５００の動きに関する情報は、例えば、薬剤吸入デバイス５００に設けられた加速度センサーから得てもよい。
【００４９】
また例えば、薬剤吸入デバイス５００の使用履歴情報５０１は、薬剤吸入デバイス５００の操作に関する情報を含んでもよい。薬剤吸入デバイス５００の操作に関する情報は、例えば、薬剤吸入デバイス５００の特定の操作部（例えば、薬剤を吸入するための操作ボタン）が操作されたか否かに関する情報と、操作された時刻に関する情報とを含んでいてもよい。
【００５０】
本実施形態によれば、簡易な構成の薬剤吸入デバイス５００でも信頼性の高い情報が得られる酸化窒素濃度検査装置１を実現できる。
【００５１】
出力部１６は、記憶部１３に記憶された情報を出力する。出力部１６は、例えば、持ち運び可能な外部記憶装置に、記憶部１３に記憶された情報を出力してもよい。また例えば、出力部１６は、酸化窒素濃度検査装置１に設けられた表示部（不図示）に、記憶部１３に記憶された情報を出力してもよい。また例えば、出力部１６は、通信ネットワーク（不図示）を介して、外部のサーバーに記憶部１３に記憶された情報を出力してもよい。
【００５２】
受信部１７は、薬剤吸入デバイス５００の使用履歴情報５０１を受信する。受信部１７は、有線通信および無線通信の少なくとも一方を用いて薬剤吸入デバイス５００から使用履歴情報５０１を受信する。
【００５３】
２．酸化窒素濃度検査システム、酸化窒素濃度検査サーバー、酸化窒素濃度検査端末装置２−１．第１実施形態
２−１−１．全体構成
図４は、第１実施形態に係る酸化窒素濃度検査システム２の全体構成を示す図である。図１と同様の構成には同一の符号を付し、詳細な説明を省略する。
【００５４】
図４に示される酸化窒素濃度検査システム２は、酸化窒素濃度検査端末装置３と、酸化窒素濃度検査サーバー４と、を含んで構成されている。
【００５５】
酸化窒素濃度検査端末装置３は、薬剤吸入デバイス５００から、薬剤吸入デバイスの使用履歴に関する情報である使用履歴情報５０１を取得する。酸化窒素濃度検査端末装置３は、通信ネットワーク５を介して、酸化窒素濃度検査サーバー４に情報５０２（情報５０２の内容は後述される）を送信する。
【００５６】
後述されるように、本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査システム２を実現できる。
【００５７】
２−１−２．酸化窒素濃度検査端末装置の構成
図５は、第１実施形態に係る酸化窒素濃度検査端末装置３の機能ブロック図である。図２と同様の構成には同一の符号を付し、詳細な説明を省略する。
【００５８】
図５に示される例では、酸化窒素濃度検査端末装置３は、検出部１１、取得部１２、記憶部３１、時刻判定部１５、受信部１７および送信部３２を含んで構成されている。なお、酸化窒素濃度検査端末装置３に要求される機能に応じて、図５に示される構成の一部を省略してもよく、他の構成を追加してもよい。
【００５９】
記憶部３１は、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴に関する情報である使用履歴情報５０１と、を関連付けて記憶する。記憶部３１に記憶される情報の例は、図３を用いて説明したとおりである。
【００６０】
送信部３２は、記憶部３１に記憶されている情報５０２を、通信ネットワーク５を介して酸化窒素濃度検査サーバー４に送信する。すなわち、送信部３２は、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴情報５０１と、を関連付けて記憶する記憶部１３を有する酸化窒素濃度検査サーバー４に、酸化窒素濃度情報、計測時刻情報および使用履歴情報を送信する。
【００６１】
本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査端末装置３を実現できる。
【００６２】
また、酸化窒素濃度検査端末装置３は、図２に示される酸化窒素濃度検査装置１と同様の構成に起因して、酸化窒素濃度検査装置１と同様の効果を奏する。
【００６３】
２−１−３．酸化窒素濃度検査サーバーの構成
図６は、第１実施形態に係る酸化窒素濃度検査サーバー４の機能ブロック図である。図２と同様の構成には同一の符号を付し、詳細な説明を省略する。
【００６４】
図６に示される例では、酸化窒素濃度検査サーバー４は、記憶部１３、判定部１４、出力部１６および受信部４２を含んで構成されている。なお、酸化窒素濃度検査サーバー４に要求される機能に応じて、図６に示される構成の一部を省略してもよく、他の構成を追加してもよい。
【００６５】
受信部４２は、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴情報５０１と、を、酸化窒素濃度検査端末装置３から通信ネットワーク５を介して受信する。
【００６６】
記憶部１３は、受信部４２が受信した、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴に関する情報である使用履歴情報５０１と、を記憶する。本実施形態においては、記憶部１３は、被験者の呼気中の酸化窒素濃度に関する情報である酸化窒素濃度情報と、被験者の呼気中の酸化窒素濃度の計測時刻に関する情報である計測時刻情報と、を関連付けて記憶している。記憶部１３に記憶される情報の例は、図３を用いて説明したとおりである。
【００６７】
本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査サーバー４を実現できる。
【００６８】
また、酸化窒素濃度検査サーバー４は、図２に示される酸化窒素濃度検査装置１と同様の構成に起因して、酸化窒素濃度検査装置１と同様の効果を奏する。
【００６９】
２−２．第２実施形態
２−２−１．全体構成
図７は、第２実施形態に係る酸化窒素濃度検査システム２ａの全体構成を示す図である。図４と同様の構成には同一の符号を付し、詳細な説明を省略する。
【００７０】
図７に示される酸化窒素濃度検査システム２ａは、酸化窒素濃度検査端末装置３ａと、酸化窒素濃度検査サーバー４ａと、を含んで構成されている。
【００７１】
酸化窒素濃度検査サーバー４ａは、通信ネットワーク５を介して、薬剤吸入デバイス５００から、薬剤吸入デバイスの使用履歴に関する情報である使用履歴情報５０１を取得する。酸化窒素濃度検査端末装置３は、通信ネットワーク５を介して、酸化窒素濃度検査サーバーに情報５０２（情報５０２の内容は後述される）を送信する。
【００７２】
後述されるように、本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査システム２ａを実現できる。
【００７３】
２−２−２．酸化窒素濃度検査端末装置の構成
図８は、第２実施形態に係る酸化窒素濃度検査端末装置３ａの機能ブロック図である。図５と同様の構成には同一の符号を付し、詳細な説明を省略する。
【００７４】
図８に示される例では、酸化窒素濃度検査端末装置３ａは、検出部１１、記憶部３１および送信部３２を含んで構成されている。なお、酸化窒素濃度検査端末装置３ａに要求される機能に応じて、図８に示される構成の一部を省略してもよく、他の構成を追加してもよい。
【００７５】
記憶部３１は、被験者の呼気中の酸化窒素濃度に関する情報である酸化窒素濃度情報と
、被験者の呼気中の酸化窒素濃度の計測時刻に関する情報である計測時刻情報と、を関連付けて記憶する。記憶部３１に記憶される情報の例は、図３を用いて説明したとおりである。
【００７６】
送信部３２は、記憶部３１に記憶されている情報５０２を、通信ネットワーク５を介して酸化窒素濃度検査サーバー４ａに送信する。すなわち、送信部３２は、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴情報５０１と、を関連付けて記憶する記憶部１３を有する酸化窒素濃度検査サーバー４ａに、酸化窒素濃度情報および計測時刻情報を送信する。
【００７７】
本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査端末装置３ａを実現できる。
【００７８】
また、酸化窒素濃度検査端末装置３ａは、図２に示される酸化窒素濃度検査装置１と同様の構成に起因して、酸化窒素濃度検査装置１と同様の効果を奏する。
【００７９】
２−２−３．酸化窒素濃度検査サーバーの構成
図９は、第２実施形態に係る酸化窒素濃度検査サーバー４ａの機能ブロック図である。図６と同様の構成には同一の符号を付し、詳細な説明を省略する。
【００８０】
図９に示される例では、酸化窒素濃度検査サーバー４ａは、取得部１２、記憶部１３、判定部１４、時刻判定部１５、出力部１６および受信部４２ａを含んで構成されている。なお、酸化窒素濃度検査サーバー４ａに要求される機能に応じて、図９に示される構成の一部を省略してもよく、他の構成を追加してもよい。
【００８１】
受信部４２ａは、被験者の呼気中の酸化窒素濃度に関する情報である酸化窒素濃度情報と、被験者の呼気中の酸化窒素濃度の計測時刻に関する情報である計測時刻情報と、を、酸化窒素濃度検査端末装置３ａから通信ネットワーク５を介して情報５０２として受信する。また、受信部４２ａは、薬剤吸入デバイス５００の使用履歴情報５０１を、薬剤吸入デバイス５００から通信ネットワーク５を介して受信する。
【００８２】
記憶部１３は、受信部４２ａが受信した、被験者の呼気中の酸化窒素濃度に関する情報である酸化窒素濃度情報と、被験者の呼気中の酸化窒素濃度の計測時刻に関する情報である計測時刻情報と、薬剤吸入デバイス５００の使用履歴に関する情報である使用履歴情報５０１と、を記憶する。本実施形態においては、記憶部１３は、被験者の呼気中の酸化窒素濃度に関する情報である酸化窒素濃度情報と、被験者の呼気中の酸化窒素濃度の計測時刻に関する情報である計測時刻情報と、を関連付けて記憶している。記憶部１３に記憶される情報の例は、図３を用いて説明したとおりである。
【００８３】
本実施形態によれば、薬剤吸入デバイス５００の使用時刻と、酸化窒素濃度の計測時刻との前後関係を把握できるので、どの情報が信頼性の高い酸化窒素濃度情報であるかを判断しやすくなる。したがって、信頼性の高い情報が得られる酸化窒素濃度検査サーバー４ａを実現できる。
【００８４】
また、酸化窒素濃度検査サーバー４ａは、図２に示される酸化窒素濃度検査装置１と同様の構成に起因して、酸化窒素濃度検査装置１と同様の効果を奏する。
【００８５】
３．検出部の構成例
本実施形態に係る検出部１１は、分光法を用いて酸化窒素濃度を検出する。より具体的には、検出部１１は、表面増強ラマン散乱法を用いて酸化窒素濃度を検出する。
【００８６】
次に、検出部１１の一部を構成するセンサーチップ３００の詳細について説明する。図１０は、センサーチップ３００を模式的に示す平面図である。図１１は、センサーチップ３００を模式的に示す図１０のＶ−Ｖ線断面図である。図１２は、酸化窒素の捕捉原理を概念的に示す図である。
【００８７】
センサーチップ３００は、図１０および図１１に示すように、基板１３０と、金属微細構造体１３２と、有機分子修飾膜１３４と、を有している。なお、便宜上、図１０では、有機分子修飾膜１３４を省略している。
【００８８】
基板１３０は、例えば、ガラス基板、シリコン基板、樹脂基板である。
【００８９】
金属微細構造体１３２は、基板１３０上に設けられている。金属微細構造体１３２の形状は、特に限定されず、例えば、円柱状、粒子状、角柱、球、回転楕円体である。金属微細構造体１３２の大きさ（例えば直径）は、センサーチップ３００に照射される光の波長以下である。具体的には、金属微細構造体１３２の大きさは、４０ｎｍ以上７００ｎｍ以下である。図示の例では、金属微細構造体１３２は、複数設けられている。金属微細構造体１３２の材質は、例えば、金、銀、アルミニウム、銅である。金属微細構造体１３２は、例えば、真空蒸着法などにより形成される。
【００９０】
金属微細構造体１３２は、光が照射されると表面プラズモン共鳴（ＳＰＲ）を生じる。具体的には、金属微細構造体１３２は、局在型プラズモン共鳴（ＬＳＰＲ）を生じる。ＬＳＰＲとは、光の波長以下の金属構造体に光を入射させると、金属内に存在する自由電子が光の電場成分により集団的に振動し、外部に局在電場を誘起する現象である。この局在電場により、ラマン散乱光を増強することができる。このように、ＳＰＲにより誘起される電場によって、ラマン散乱光が増強されることを電場増強効果という。ＳＰＲによって増強されるラマン散乱光（ＳＥＲＳ光）の強度は、ＳＰＲにより増強された電場の４乗に比例する。
【００９１】
有機分子修飾膜１３４は、金属微細構造体１３２上に設けられている。有機分子修飾膜１３４は、本実施形態に係る修飾分子（以下、単に「修飾分子」ともいう）を含む。修飾分子は、金属微細構造体１３２の表面に配置されている。有機分子修飾膜１３４は、例えば、修飾分子を希釈させた溶液（例えば濃度１ｍＭ）中に、金属微細構造体１３２が形成された基板１３０を、長時間（例えば２４時間）浸漬させ、その後、溶液から取り出して水分を飛ばすことで形成される。
【００９２】
修飾分子は、例えば、アミン系の官能基を有する化合物に由来する。具体的には、修飾分子は、アミン基を有したベンゼン環であるアニリン（下記式（１）参照）に由来する。この場合、修飾分子は、図１２に示すように、アミン基において、金属微細構造体１３２に結合する。ＮＯ（一酸化窒素）は、大気中の酸素と反応してＮ2Ｏ3という反応体になり、電子吸引性であるＮ2Ｏ3がベンゼン環の電子局在部（図１２に示すδ−の部分）で反応すると考えられる。これにより、センサーチップ３００は、ＮＯを捕捉することができる。
【００９３】
【化１】
2017058304.tif 000003
【００９４】
なお、修飾分子は、アミン系の官能基ではなく、硫黄系の官能基を有する化合物に由来していてもよい。具体的には、修飾分子は、メタンチオール（ＣＨ3ＳＨ）に由来してもよい。ここで、「所定の化合物（例えばアニリンやメタンチオール）に由来する」とは、化合物が、そのままの形で、または置換基の一部が脱離して、配位結合、共有結合、イオン結合、または水素結合等の結合によって、金属微細構造体１３２に結合し、修飾分子が得られることをいう。
【００９５】
本実施形態によれば、分光法を用いて酸化窒素濃度を検出するので、計測値信頼性に優れる酸化窒素濃度検査装置１、酸化窒素濃度検査システム２、酸化窒素濃度検査端末装置３、酸化窒素濃度検査システム２ａ、酸化窒素濃度検査端末装置３ａを実現できる。
【００９６】
また、本実施形態によれば、表面増強ラマン散乱法を用いて酸化窒素濃度を検出するので、環境の影響を受けにくく、高感度で小型の酸化窒素濃度検査装置１、酸化窒素濃度検査システム２、酸化窒素濃度検査端末装置３、酸化窒素濃度検査システム２ａ、酸化窒素濃度検査端末装置３ａを実現できる。
【００９７】
以上、本実施形態あるいは変形例について説明したが、本発明はこれら本実施形態あるいは変形例に限られるものではなく、その要旨を逸脱しない範囲において種々の態様で実施することが可能である。
【００９８】
本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００９９】
１…酸化窒素濃度検査装置、２，２ａ…酸化窒素濃度検査システム、３，３ａ…酸化窒素濃度検査端末装置、４，４ａ…酸化窒素濃度検査サーバー、５…通信ネットワーク、１１…検出部、１２…取得部、１３…記憶部、１４…判定部、１５…時刻判定部、１６…出力部、１７…受信部、３１…送信部、４１…記憶部、４２，４２ａ…受信部、１３０…基板、１３２…金属微細構造体、１３４…有機修飾分子膜、３００…センサーチップ、５００…薬剤吸入デバイス、５０１…使用履歴情報、５０２…情報
【図１】
2017058304.tif 000004
【図２】
2017058304.tif 000005
【図３】
2017058304.tif 000006
【図４】
2017058304.tif 000007
【図５】
2017058304.tif 000008
【図６】
2017058304.tif 000009
【図７】
2017058304.tif 000010
【図８】
2017058304.tif 000011
【図９】
2017058304.tif 000012
【図１０】
2017058304.tif 000013
【図１１】
2017058304.tif 000014
【図１２】
2017058304.tif 000015